(57)【要約】【課題】多くのポータブル再生装置は、広帯域幅および広いダイナミックレンジをもつエンコードされたオーディオ・コンテンツを、該エンコードされたオーディオ・コンテンツがその装置のために特に用意されたのでなければ、一貫したラウドネスおよび了解可能性をもってデコードおよび再生することができない。【解決手段】この問題は、絶対値または別の既知の圧縮プロファイルに対する差分値によって好適なダイナミックレンジ圧縮プロファイルを指定する何らかのメタデータを、エンコードされたコンテンツに含めることによって克服できる。再生装置も、再生オーディオに利得および制限を適応的に適用してもよい。エンコーダ、トランスコーダおよびデコーダにおける実装が開示される。【選択図】図１
2015045886.tif 000002
【特許請求の範囲】
【請求項１】
エンコードされた入力信号をデコードしてオーディオ出力信号を生成する方法であって：
エンコードされたオーディオ情報および関連するメタデータを含むエンコードされた入力信号を受領する段階であって、前記メタデータは、一つまたは複数のデコード制御パラメータと、第一の再生レベルを使う第一のデコード・モードによって使うのに好適なダイナミックレンジ圧縮を指定する一つまたは複数の第一のパラメータと、第二の基準再生レベルを使う第二のデコード・モードによって使うのに好適なダイナミックレンジ圧縮を指定する一つまたは複数の第二のパラメータとを含む、段階と；
前記エンコードされたオーディオ情報にデコード・プロセスを適用してサブバンド信号を得る段階であって、前記デコード・プロセスは、前記一つまたは複数のデコード制御パラメータに応答して適応される、段階と；
前記サブバンド信号を修正して、変化したダイナミックレンジ特性をもつ修正されたサブバンド信号を得る段階であって、前記修正は、前記一つまたは複数の第二のパラメータに応答して適応される、段階と；
前記修正されたサブバンド信号に合成フィルタバンクを適用して時間領域オーディオ信号を得る段階と；
前記時間領域オーディオ信号に利得および制限器を適用する段階であって、前記利得の適用は前記オーディオ出力信号の有効基準再生レベルを上昇させ、前記制限器の適用は前記オーディオ出力信号の振幅がクリッピング・レベルを超えることを防止する、段階とを含む、
方法。
【請求項２】
前記第一の基準再生レベルは前記クリッピング・レベルより31dB低い振幅に対応し、前記第二の基準再生レベルは前記クリッピング・レベルより20dB低い振幅に対応し、前記有効基準再生レベルはクリッピング・レベルより14dBないし8dB低い振幅に対応する、請求項１記載の方法。
【請求項３】
前記有効基準再生レベルはクリッピング・レベルより11dB低い振幅に対応する、請求項２記載の方法。
【請求項４】
エンコードされた入力信号をデコードしてオーディオ出力信号を生成する装置であって：
エンコードされたオーディオ情報および関連するメタデータを含むエンコードされた入力信号を受領する手段であって、前記メタデータは、一つまたは複数のデコード制御パラメータと、第一の再生レベルを使う第一のデコード・モードによって使うのに好適なダイナミックレンジ圧縮を指定する一つまたは複数の第一のパラメータと、第二の基準再生レベルを使う第二のデコード・モードによって使うのに好適なダイナミックレンジ圧縮を指定する一つまたは複数の第二のパラメータとを含む、手段と；
前記エンコードされたオーディオ情報にデコード・プロセスを適用してサブバンド信号を得る手段であって、前記デコード・プロセスは、前記一つまたは複数のデコード制御パラメータに応答して適応される、手段と；
前記サブバンド信号を修正して、変化したダイナミックレンジ特性をもつ修正されたサブバンド信号を得る手段であって、前記修正は、前記一つまたは複数の第二のパラメータに応答して適応される、手段と；
前記修正されたサブバンド信号に合成フィルタバンクを適用して時間領域オーディオ信号を得る手段と；
前記時間領域オーディオ信号に利得および制限器を適用する手段であって、前記利得の適用は前記オーディオ出力信号の有効基準再生レベルを上昇させ、前記制限器の適用は前記オーディオ出力信号の振幅がクリッピング・レベルを超えることを防止する、手段とを有する、
装置。
【請求項５】
前記第一の基準再生レベルは前記クリッピング・レベルより31dB低い振幅に対応し、前記第二の基準再生レベルは前記クリッピング・レベルより20dB低い振幅に対応し、前記有効基準再生レベルはクリッピング・レベルより14dBないし8dB低い振幅に対応する、請求項４記載の装置。
【請求項６】
前記有効基準再生レベルはクリッピング・レベルより11dB低い振幅に対応する、請求項５記載の方法。
【発明の詳細な説明】
【技術分野】
【０００１】
関連出願への相互参照
本願は、ここに参照によってその全体において組み込まれる2010年2月11日に出願された米国特許仮出願第61/303,643号の優先権を主張する。
【０００２】
技術分野
本発明は、概括的にはオーディオ信号のエンコードおよびデコードに関し、より詳細には、より幅広い範囲の再生装置および聴取環境のためにオーディオ信号をエンコードおよびデコードするために使用されうる技法に関する。
【背景技術】
【０００３】
ハンドヘルドおよび他の型のポータブル装置の人気が高まることは、そうした装置での再生用のメディア・コンテンツのクリエーターや頒布者にとって、またそうした装置の設計者および製造業者にとって、新たな機会と課題を創り出した。多くのポータブル装置は、しばしばHDTV、ブルーレイまたはDVDのための高品質、広帯域幅および広いダイナミックレンジのオーディオ・コンテンツに関連付けられるものを含め、幅広い範囲のメディア・コンテンツの型およびフォーマットを再生できる。ポータブル装置は、この型のオーディオ・コンテンツを、自分の内蔵音響トランスデューサ上でまたはヘッドホンのような外部トランスデューサ上で再生するために使用されうる。しかしながら、ポータブル装置は一般に、このコンテンツを、多様なメディア・フォーマットおよびコンテンツ型にわたって一貫したラウドネス（loudness）および了解可能性（intelligibility）をもって再生することはできない。
【先行技術文献】
【非特許文献】
【０００４】
【非特許文献１】"Digital  Audio  Compression  Standard  (AC-3,  E-AC-3),"  Revision  B,  Document  A/52B、14  June  2005、Advanced  Television  Systems  Committee,  Inc.
【非特許文献２】ISO/IEC  13818-7,  Advanced  Audio  Coding  (AAC)、International  Standards  Organization  (ISO)
【非特許文献３】ISO/IEC  14496-3,  subpart  4、International  Standards  Organization  (ISO)
【非特許文献４】"ATSC  Recommended  Practice:  Techniques  for  Establishing  and  Maintaining  Audio  Loudness  for  Digital  Television,"  Document  A/85、4  November  2009、Advanced  Television  Systems  Committee,  Inc.、特にSection  9およびAnnex  F
【非特許文献５】Robinson  et  al.,  "Dynamic  Range  Control  via  Metadata,"  preprint  no.5028,  107th  AES  Convention,  New  York,  September  1999
【発明の概要】
【発明が解決しようとする課題】
【０００５】
本発明は、ハンドヘルドおよび他の型のポータブル装置を含む多様な装置での再生のためにオーディオ信号をエンコードおよびデコードする改善された方法を提供することに向けられる。
【課題を解決するための手段】
【０００６】
本発明のさまざまな側面は、独立請求項に記載される。
【０００７】
本発明のさまざまな特徴およびその好ましい実施形態は、以下の議論および付属の図面を参照することによってよりよく理解されうる。図面において、いくつかの図で同様の参照符号は同様の要素を指す。以下の議論および図面の内容は単に例として記載されているのであって、本発明の範囲に対する限定を表すと理解すべきではない。
【図面の簡単な説明】
【０００８】
【図１】再生装置の概略的なブロック図である。
【図２】エンコード装置の概略的なブロック図である。
【図３】トランスコード装置の概略的なブロック図である。
【図４】トランスコード装置の概略的なブロック図である。
【図５】トランスコード装置の概略的なブロック図である。
【図６】本発明のさまざまな側面を実装するために使われうる装置の概略的なブロック図である。
【発明を実施するための形態】
【０００９】
〈Ａ．序〉
本発明は、ハンドヘルドおよび他の型のポータブル装置のユーザーが遭遇するようなチャレンジングな聴取環境における再生のためにオーディオ情報をエンコードおよびデコードすることに向けられる。オーディオ・エンコードおよびデコードの若干の例は、非特許文献１（本稿では「ATSC規格」と称する）、非特許文献２（本稿では「MPEG-2  AAC規格」と称する）および非特許文献３（本稿では「MPEG-4オーディオ規格」と称する）に記載されるような公開された規格によって記述されている。これらの規格に準拠するエンコードおよびデコード・プロセスは単に例として言及されている。本発明の原理は、他の規格に準拠する符号化システムと一緒に使われてもよい。
【００１０】
発明者は、いくつかの符号化規格に準拠する装置の利用可能な機能はしばしば、ハンドヘルドおよびその他の型のポータブル装置に典型的な応用および聴取環境にとっては十分でないことを発見した。これらの型の装置が、これらの規格に準拠するエンコードされた入力信号のオーディオ・コンテンツをデコードするために使われる場合、デコードされたオーディオ・コンテンツはしばしば、これらの装置での再生のために特別に用意されたエンコードされた入力信号をデコードすることによって得られるオーディオ・コンテンツについてのラウドネス・レベルより有意に低いラウドネス・レベルで再生される。
【００１１】
たとえばATSC規格に準拠するエンコードされた入力信号（本稿では「ATSC準拠エンコード信号」と称する）は、エンコードされたオーディオ情報と、この情報をどのようにしてデコードできるかを記述するメタデータとを含む。メタデータ・パラメータのいくつかは、エンコードされたオーディオ情報がデコードされるときにオーディオ情報のダイナミックレンジがいかにして圧縮されうるかを指定するダイナミックレンジ圧縮プロファイルを同定する。デコードされた信号のフル・ダイナミックレンジが保持されることもできるし、あるいは種々の応用および聴取環境の要求を満たすためにさまざまな度合いで圧縮されることもできる。他のメタデータは、平均プログラム・レベルまたはエンコードされた信号におけるダイアログのレベルのような、エンコードされたオーディオ情報のラウドネスの何らかの指標を特定する。このメタデータは、再生中に、指定されたラウドネスまたは基準再生レベルを達成するためにデコードされた信号の振幅を調整するためにデコーダによって使用されてもよい。いくつかの応用では、一つまたは複数の基準再生レベルが指定または想定されてもよく、一方、他のアプリケーションでは、基準再生レベルを設定することに対してユーザーがコントロールを与えられてもよい。たとえば、ATSC準拠エンコード信号をエンコードおよびデコードするために使われる符号化プロセスは、ダイアログが二つの基準再生レベルの一つで再生されることを想定する。一方のレベルは、可能な最大のデジタル値またはフル・スケール（FS:  full  scale）値であるクリッピング・レベルより31dB下であり、ここでは−31dBFSと記される。このレベルを使うデコードのモードは時に「ライン・モード」と称され、より広いダイナミックレンジが好適な応用および環境において使われることが意図される。もう一方のレベルは−20dBFSに設定される。この第二のレベルを使うデコードのモードは時に「RFモード」と称され、これは、過変調（over  modulation）を避けるためにより狭いダイナミックレンジが必要とされる、無線周波（RF:  radio  frequency）信号の変調による放送において遭遇するような応用および環境において使用されることが意図される。
【００１２】
もう一つの例として、MPEG-2  AAC規格およびMPEG-4オーディオ規格に準拠するエンコードされた信号は、エンコードされたオーディオ情報についての平均ラウドネス・レベルを同定するメタデータを含む。MPEG-2  AACおよびMPEG-4オーディオに準拠するエンコードされた信号をデコードするプロセスは、聴取者に、所望される再生レベルを指定することを許容してもよい。デコーダは、所望される再生レベルおよび平均ラウドネス・メタデータを使って、所望される再生レベルが達成されるよう、デコードされた信号の振幅を調整する。
【００１３】
ハンドヘルドおよび他の型のポータブル装置がこれらのメタデータ・パラメータに従ってATSC準拠、MPEG-2  AAC準拠およびMPEG-4オーディオ準拠のエンコードされた信号のオーディオ・コンテンツをデコードおよび再生するために使われる場合、ダイナミックレンジおよびラウドネス・レベルもしばしば好適ではない。これは、これらの型の装置で遭遇される劣悪な聴取環境のため、あるいはこれらの装置で使われるより低い動作電圧に起因する電気的な制限のためである。
【００１４】
他の規格に準拠するエンコードされた信号は、同様の型のメタデータを使い、意図された再生ラウドネス・レベルを指定するための規定を含むこともある。同じ問題は、これらの信号をデコードするポータブル装置でもしばしば遭遇される。
【００１５】
本発明は、ハンドヘルドおよびポータブル装置のユーザーにとっての聴取経験を、これらの装置について特に用意されたコンテンツを必要とすることなく、改善するために使用されうる。
【００１６】
〈Ｂ．装置の概観〉
図１は、本発明のさまざまな側面を組み込む受信側／デコーダ装置１０の一つの型の概略的なブロック図である。装置１０は信号経路１１からエンコードされた入力信号を受領し、フォーマット解除器１２において好適なプロセスを適用して前記入力信号からエンコードされたオーディオ情報および関連するメタデータを抽出し、該メタデータを信号経路１３に沿って渡す。エンコードされたオーディオ情報は、聴覚的な刺激のスペクトル内容を表すエンコードされたサブバンド信号を含み、メタデータは、一つまたは複数のデコード制御パラメータおよびダイナミックレンジ圧縮プロファイルに従ってダイナミックレンジ圧縮を指定する一つまたは複数のパラメータを含む多様なパラメータについての値を指定する。「ダイナミックレンジ圧縮プロファイル」という用語は、利得因子、圧縮アタック時（compression  attack  times）および圧縮リリース時（compression  release  times）といった、ダイナミックレンジ圧縮器の動作特性を定義する特徴を指す。
【００１７】
デコーダ１４は、エンコードされたオーディオ情報にデコード・プロセスを適用し、デコードされたサブバンド信号を得る。デコードされたサブバンド信号はダイナミックレンジ・コントロール１６に渡される。デコード・プロセスの動作および機能は、信号経路１３から受領されるデコード制御パラメータに応答して適応されてもよい。デコード・プロセスの動作および機能を適応させるために使用されうるデコード制御パラメータの例は、エンコードされたオーディオ情報によって表されるオーディオ・チャネルの数および配位を同定するパラメータである。
【００１８】
ダイナミックレンジ・コントロール１６は任意的に、デコードされたオーディオ情報のダイナミックレンジを調整する。調整は、信号経路１３から受領されるメタデータに応答して、および／または聴取者からの入力に応答して与えられうる制御信号から、オンまたはオフにされてもよく、適応されてもよい。たとえば、制御信号は、聴取者がスイッチを操作したり、あるいは装置１０についての操作オプションを選択したりするのに応答して与えられてもよい。
【００１９】
たとえばATSC規格、MPEG-2  AAC規格またはMPEG-4オーディオ規格に準拠する実装では、エンコードされた入力信号は、エンコードされたオーディオ信号がセグメントまたはフレームのシーケンスに配列されたものを含む。各フレームは、フル・ダイナミックレンジでのオーディオ信号のスペクトル成分を表現するエンコードされたサブバンド信号を含む。ダイナミックレンジ・コントロール１６は何のアクションも行わなくてもよい。これは、オーディオ信号が最大量のダイナミックレンジをもって再生されることを許容する。あるいはダイナミックレンジ・コントロール１６はデコードされたサブバンド信号を修正して、さまざまな度合いでダイナミックレンジを圧縮してもよい。
【００２０】
合成フィルタバンク１８は、ダイナミックレンジ・コンとトール１６によって調整されていてもよいデコードされたサブバンド信号に対して合成フィルタのバンクを適用し、その出力において、デジタルまたはアナログ信号でありうる時間領域のオーディオ信号を与える。
【００２１】
利得制限器２０は、本発明のいくつかの実装において、時間領域オーディオ信号の振幅を調整するために使われる。利得制限器２０の出力は、音響トランスデューサによるその後の呈示のために経路２１に沿って渡される。
【００２２】
図２は、本発明のさまざまな側面を組み込むエンコーダ／送信側装置３０の概略的なブロック図である。装置３０は、聴覚的な刺激を表すオーディオ入力信号を信号経路３１から受領する。装置３０は、該オーディオ信号に分解フィルタのバンクを適用して、入力オーディオ信号の周波数領域表現の形の、または入力オーディオ信号を表す帯域幅制限された信号の集合の形のサブバンド信号を得る。メタデータ計算器３４は、オーディオ入力信号および／または該オーディオ入力信号の修正されたバージョンもしくは分解フィルタバンク３２からのサブバンド信号のような該オーディオ入力信号から導出される一つまたは複数の信号を解析して、エンコード制御パラメータ、一つまたは複数のデコード制御パラメータおよびダイナミックレンジ圧縮プロファイルに従ってダイナミックレンジ圧縮を指定する一つまたは複数のパラメータを含む多様なパラメータについての値を指定するメタデータを計算する。メタデータ計算器３４が解析するのは、時間領域信号、周波数領域信号または時間領域および周波数領域信号の組み合わせでありうる。メタデータ計算器３４によって実行される計算も、経路３３から受領される一つまたは複数のメタデータ・パラメータに応答して適応されてもよい。エンコーダ３６は分解フィルタバンク３２の出力にエンコード・プロセスを適用して、エンコードされたサブバンド信号を含むエンコードされたオーディオ情報を得、エンコードされたオーディオ情報はフォーマット器３８に渡される。エンコード・プロセスは、経路３３から受領されるエンコード制御パラメータに応答して適応されてもよい。エンコード・プロセスも、他のデコード制御パラメータを経路３３に沿って生成してもよい。エンコードされたオーディオ情報をデコードするために前記装置１０において実行されるプロセスによって使うためである。フォーマット器３８はエンコードされたオーディオ情報と、前記一つまたは複数のデコード制御パラメータおよびダイナミックレンジ圧縮を指定する前記一つまたは複数のパラメータを含む前記メタデータの少なくとも一部を集めて、伝送または記憶に好適なフォーマットをもつエンコードされた出力信号にする。
【００２３】
たとえばATSC規格、MPEG-2  AAC規格またはMPEG-4オーディオ規格に準拠する実装では、エンコードされた出力信号は、エンコードされたオーディオ信号がセグメントまたはフレームのシーケンスに配列されたものを含む。各フレームは、フル・ダイナミックレンジでのオーディオ信号のスペクトル成分を表現し、基準再生レベルでの再生のための振幅を有するエンコードされたサブバンド信号を含む。
【００２４】
フォーマット解除器１２、デコーダ１４、合成フィルタバンク１８、分解フィルタバンク３２、エンコーダ３６およびフォーマット器３８は設計および動作において通常のものであってもよい。若干の例は、上述した公開された規格に準拠する対応するコンポーネントを含む。これらの規格において規定または提案されるコンポーネントの実装は、本発明と一緒に使うのに好適であるが、必須ではない。これらのコンポーネントのいかなる特定の実装も決定的ではない。
【００２５】
図３ないし図５は、上記の装置１０および装置３０におけるコンポーネントのいくつかを含むトランスコーダ装置４０の種々の実装の概略的なブロック図である。これらのコンポーネントはそれぞれの対応物と実質的に同様に動作する。図３に示した装置４０は、経路１１から受領されるエンコードされた入力信号を、同じ符号化規格に準拠する修正されたバージョンにトランスコードすることができる。この実装では、装置４０は信号経路１１からエンコードされた入力信号を受領し、フォーマット解除器１２において好適なプロセスを適用して前記エンコードされた入力信号から第一のエンコードされたオーディオ情報および関連するメタデータを抽出し、該第一のエンコードされたオーディオ情報をデコーダ１４およびフォーマット器３８に渡し、該メタデータを信号経路４３に沿って渡す。第一のエンコードされたオーディオ情報は、聴覚的な刺激のスペクトル内容を表すエンコードされたサブバンド信号を含み、メタデータは、一つまたは複数のデコード制御パラメータおよび第一のダイナミックレンジ圧縮プロファイルに従ってダイナミックレンジ圧縮を指定する一つまたは複数のパラメータを含む多様なパラメータについての値を指定する。デコーダ１４は、第一のエンコードされたオーディオ情報にデコード・プロセスを適用し、デコードされたサブバンド信号を得る。デコード・プロセスの動作および機能は、信号経路４３から受領される前記一つまたは複数のデコード制御パラメータに応答して適応されてもよい。サブバンド信号は、前記聴覚的刺激の周波数領域表現、または前記聴覚的刺激を表す帯域幅制限された信号の集合でありうる。
【００２６】
メタデータ計算器４４は、デコードされたサブバンド信号および／または該デコードされたサブバンド信号から導出される一つまたは複数の信号を解析して、第二のダイナミックレンジ圧縮プロファイルに従ってダイナミックレンジ圧縮を指定する一つまたは複数のパラメータ値を計算する。たとえば、前記一つまたは複数の信号は、合成フィルタバンク１８をデコードされたサブバンド信号に適用することによって導出されてもよい。メタデータ計算器４４によって実行される計算は、経路４３から受領されるメタデータに応答して適応されてもよい。合成フィルタバンク１８は、その出力がメタデータ計算のために必要とされないなら、この実装から省略してもよい。
【００２７】
装置４０のもう一つの実装が図４に示されている。この実装は図３に示されるものと同様だが、エンコーダ３６を含む。エンコーダ３６を含むことで、装置４０は、経路１１から受領される、第一の符号化規格に準拠するエンコードされた入力信号を、前記第一の符号化規格と同じであっても異なっていてもよい第二の符号化規格に準拠するエンコードされた出力信号にトランスコードすることができる。ただし、それら二つの符号化規格のサブバンド信号が互換であればである。これは、この実装では、エンコーダ３６をして、サブバンド信号にエンコード・プロセスを適用して第二の符号化規格に準拠する第二のエンコードされたオーディオ情報を得させることによってなされてもよい。第二のエンコードされたオーディオ情報はフォーマット器３８に渡される。エンコード・プロセスは経路４３から受領されるメタデータに応答して適応されてもよい。エンコード・プロセスはまた、エンコードされたオーディオ情報をデコードするために前記装置１０において実行されるプロセスが使うために、経路４３に沿って他のメタデータをも生成してもよい。フォーマット器３８は、経路４３から受領されるメタデータおよび受領されるエンコードされたオーディオ情報を集めて、伝送または記憶に好適なフォーマットをもつエンコードされた出力信号にする。
【００２８】
装置４０のさらにもう一つの実装が図５に示されている。この実装は、デコードされたサブバンド信号に適用されてエンコードされたオーディオ情報の時間領域または広帯域表現を得る合成フィルタバンク１８を含む。合成フィルタバンク１８および分解フィルタバンク３２を含むことで、装置４０は、符号化規格の本質的にいかなる選択の間でもトランスコードできる。合成フィルタバンク１８の出力は分解フィルタバンク３２に渡され、分解フィルタバンク３２がエンコーダ３６によってエンコードするためのサブバンド信号を生成する。エンコーダ３６は分解フィルタバンク３２の出力にエンコード・プロセスを適用して、第二のエンコードされたオーディオ情報を得、これがフォーマット器３８に渡される。エンコード・プロセスは、エンコードされたオーディオ情報をデコードするために前記装置１０において実行されるプロセスによって使用するために、経路４３に沿って他のメタデータをも生成してもよい。メタデータ計算器４４は、デコーダ１４から受領されたサブバンド信号、合成フィルタバンク１８の出力および分解フィルタバンク３２の出力のうちの任意のものまたは全部の解析から、メタデータ・パラメータ値を計算してもよい。
【００２９】
装置１０および装置３０のいくつかの側面が以下でより詳細に記述される。これらの記述は、上述したATSC規格に準拠する方法および装置の特徴および特性を使って記述される。これらの特定の特徴および特性は単に例として論じられている。これらの実装の根底にある原理は、他の規格に準拠する方法および装置にも直接適用可能である。
【００３０】
〈Ｃ．受信機／デコーダ〉
上記の再生の問題は、以下に述べる三つの異なる技法の一つまたは複数を使うことによって対処されうる。第一の技法は、利得制限を使い、装置１０のみの機能によって実装されうる。第二および第三の技法はダイナミックレンジ圧縮を使い、その実装は装置１０と装置３０の両方の機能を必要とする。
【００３１】
１．利得制限器（Gain-Limiter）
第一の技法はライン・モードではなくRFモードで装置１０を動作させる。それにより、装置１０はATSC準拠のエンコードされた入力信号をデコードし、ダイナミックレンジ・コントロール１６はより高いレベルのダイナミックレンジ圧縮およびより高い基準再生レベルを提供する。利得制限器２０は追加的な利得を提供し、有効基準再生レベルを−14dBFSから−8dBFSの値に上昇させる。経験的な結果は、−11dBFSに等しい基準レベルが多くの応用にとって良好な結果を与えることを示している。
【００３２】
利得制限器２０はまた、増幅されたデジタル信号が0dBFSを超えることを防ぐよう制限動作を適用する。制限器の動作特性は、再生されるオーディオの知覚される品質に影響することがあるが、いかなる特定の制限器も本発明にとって決定的ではない。制限器は、本質的には所望されうるいかなる仕方で実装されてもよい。好ましくは、制限器は、「硬〔ハード〕」クリッピング機能ではなく「軟〔ソフト〕」制限機能を提供するよう設計される。
【００３３】
２．差分圧縮値（Differential  Compression  Values）
第二の技法は、装置１０が、ダイナミックレンジ・コントロール１６において一つまたは複数の修正されたダイナミックレンジ圧縮パラメータを適用することを許容する。フォーマット解除器１２は、エンコードされた入力信号から差分ダイナミックレンジ圧縮（DRC:  dynamic  range  compression）パラメータ値を得て、該差分パラメータ値を、通常のDRCパラメータ値と一緒に経路１３に沿ってダイナミックレンジ・コントロール１６に渡す。ダイナミックレンジ・コントロール１６は、通常のDRCパラメータ値を対応する差分DRCパラメータ値と算術的に組み合わせることによって、必要とする前記一つまたは複数のDRCパラメータ値を計算する。この状況では利得制限器２０は使われる必要はない。
【００３４】
差分DRCパラメータ値は、エンコードされた入力信号を生成したエンコーダ／送信側装置３０によって、エンコードされた入力信号中に与えられる。
【００３５】
エンコードされた入力信号がこれらの差分DRC値を含まない場合、装置１０は上記の第一の技法に従って利得制限器２０を使うことができる。
【００３６】
３．異なる圧縮プロファイル
第三の技法は、装置１０が、ダイナミックレンジ・コントロール１６において新しいダイナミックレンジ圧縮プロファイルに従ってダイナミックレンジ圧縮を適用することを許容する。フォーマット解除器１２は、エンコードされた入力信号から新しいプロファイルについての一つまたは複数のDRCパラメータ値を得て、それらのパラメータ値を経路１３に沿ってダイナミックレンジ・コントロール１６に渡す。この状況では利得制限器２０は使われる必要はない。
【００３７】
新しいダイナミックレンジ圧縮プロファイルについてのDRCパラメータ値は、エンコードされた入力信号を生成したエンコーダ／送信側装置３０によって、エンコードされた入力信号中に与えられる。
【００３８】
エンコードされた入力信号が前記新しいDRCプロファイルについての前記一つまたは複数のDRCパラメータ値を含まない場合、装置１０は上記の第一の技法に従って利得制限器２０を使うことができる。
【００３９】
〈Ｄ．エンコーダ／送信機〉
１．差分圧縮値
上で論じた第二の技法についてのプロセスは、エンコードされた入力信号から抽出される差分DRCパラメータ値を使うことによって、装置１０において実装される。これらの差分パラメータ値は、エンコードされた信号を生成した装置３０によって与えられる。
【００４０】
装置３０は、エンコードされた信号中に存在することになるDRCパラメータ値の集合と、高めの基準再生レベルについてデコードされたオーディオ信号サンプルが0dBFSを超えることを防ぐために必要とされる新しいDRCプロファイルについての対応する基本パラメータ値の集合との間の差を表す差分DRCパラメータ値の集合を提供する。DRCパラメータ値を計算するためのいかなる特定の方法も本発明にとって決定的ではない。ATSC規格に準拠するパラメータ値を計算する既知の諸方法は、非特許文献４および非特許文献５において開示されている。
【００４１】
エンコードされた出力信号がATSC規格、MPEG-2  AAC規格またはMPEG-4オーディオ規格に準拠する場合、基準再生レベルは−14dBFSから−8dBFSまでの値に増大させられる。経験的な結果は、−11dBFSに等しい基準レベルが多くの応用にとって良好な結果を与えることを示している。
【００４２】
ATSC準拠のエンコードされた出力信号については、メタデータ計算器３４は、規格において規定されている対応する基本パラメータ「compr」について差分パラメータ値を計算する。フォーマット器３８は該差分パラメータ値を、「addbsi」（additional  bit  stream  information［追加的ビットストリーム情報］）および／または「auxdata」（auxiliary  data［補助データ］）と記される各エンコードされた信号フレームの部分に集めてもよい。差分パラメータ値がこれら「addbsi」または「auxdata」部分に集められる場合、エンコードされた信号はすべてのATSC準拠デコーダと互換になる。該差分パラメータ値を認識しないデコーダでも、「addbsi」および「auxdata」部分を無視することによって、エンコードされた信号フレームを正しく処理し、デコードすることができる。さらなる詳細については非特許文献１を参照されたい。
【００４３】
MPEG-2規格またはMPEG-4オーディオ規格に準拠するエンコードされた出力信号については、フォーマット器３８は該差分パラメータ値を、両規格において「Fill_Element〔充填エレメント〕」または「Data_Stream_Element〔データストリーム・エレメント〕」と記される各エンコードされた信号フレームの部分に集めてもよい。差分パラメータ値がこれらの部分のいずれかに集められる場合、エンコードされた信号はすべてのMPEG-2  AACおよびMPEG-4オーディオ規格準拠デコーダと互換になる。さらなる詳細については非特許文献２および３を参照されたい。
【００４４】
差分パラメータ値が計算され、エンコードされた信号に挿入されるレートは、対応する基本パラメータ値がエンコードされた信号中にあるレートより大きくても、該レートに等しくても、該レートより小さくてもよい。差分値についてのレートは変動してもよい。前の差分値が再利用されるべきか否かを示すフラグまたはビットもエンコードされた信号に含められてもよい。
【００４５】
２．異なる圧縮プロファイル
上記で論じた第三の技法についてのプロセスは、装置１０によって、エンコードされた入力信号から抽出される新しいダイナミックレンジ圧縮プロファイルについてのDRCパラメータ値を使って実装される。これらのパラメータ値は、エンコードされた信号を生成した装置３０によって与えられる。
【００４６】
装置３０は新しいDRCプロファイルについてのDRCパラメータ値を、高めの基準再生レベルについてデコードされたオーディオ信号サンプルが0dBFSを超えることを防ぐために必要とされるパラメータ値を計算することによって導出する。
【００４７】
エンコードされた出力信号がATSC規格、MPEG-2  AAC規格またはMPEG-4オーディオ規格に準拠する場合、メタデータ計算器３４は、基準再生レベルが−14dBFSから−8dBFSまでの値に増大させられるとの想定に基づいてDRC圧縮値を計算する。経験的な結果は、−11dBFSに等しい基準レベルが多くの応用にとって良好な結果を与えることを示している。フォーマット器３８は、DRCプロファイルについてのパラメータ値を、各エンコードされた信号フレームの、差分パラメータのための上記のような諸部分中に集めてもよい。フレームのこれらの部分の使用は、エンコードされた信号が、それぞれの規格に準拠するすべてのデコーダと互換であることを許容する。
【００４８】
〈Ｅ．実装〉
本発明のさまざまな側面を組み込む装置は、コンピュータ、または、より特化したコンポーネントを含む、汎用コンピュータに見出されるのと同様のコンポーネントに結合されたデジタル信号プロセッサ（DSP）回路のような他の何らかの装置による実行のためのソフトウェアを含む多様な仕方で実装されうる。図６は、本発明の諸側面を実装するために使用されうる装置７０の概略的なブロック図である。プロセッサ７２はコンピューティング資源を提供する。RAM  ７３は処理のためにプロセッサ７２によって使用されるシステム・ランダム・アクセス・メモリ（RAM）である。ROM  ７４は、装置７０を動作させるためにおよび可能性としては本発明のさまざまな側面を実行するために必要とされるプログラムを記憶する、読み出し専用メモリ（ROM）のような何らかの形の持続性記憶を表す。I/Oコントロール７５は、通信チャネル７６、７７によって入力信号を受領し、出力信号を送出するためのインターフェース回路を表す。図示した実施形態では、すべての主要なシステム・コンポーネントはバス７１に接続される。バス７１は二つ以上の物理的または論理的なバスを表していてもよい。しかしながら、バス・アーキテクチャは本発明を実装するために必須ではない。
【００４９】
汎用コンピュータ・システムによって実装される実施形態では、キーボードまたはマウスおよびディスプレイのような装置とインターフェースをもつために、および磁気テープまたはディスクまたは光学式媒体のような記憶媒体をもつ記憶装置７８を制御するために、追加的なコンポーネントが含められてもよい。記憶媒体は、オペレーティング・システム、ユーティリティーおよびアプリケーションのための命令のプログラムを記録するために使われてもよく、本発明のさまざまな側面を実装するプログラムを含んでいてもよい。
【００５０】
本発明のさまざまな側面を実施するために必要とされる機能は、離散的な論理コンポーネント、集積回路、一つまたは複数のASICおよび／またはプログラム制御されるプロセッサを含む幅広い多様な仕方で実装されるコンポーネントによって実行されることができる。これらのコンポーネントが実装される仕方は本発明にとって重要ではない。
【００５１】
本発明のソフトウェア実装は、スーパーソニックから紫外周波数を含むスペクトルを通じたベースバンドまたは変調された通信経路、あるいは磁気テープ、カードもしくはディスク、光学式カードもしくはディスクおよび紙を含む媒体上の検出可能なマーク付けを含む本質的に任意の記録技術を使って情報を担持する記憶媒体のような多様な機械可読媒体によって担持されうる。
【００５２】
いくつかの態様を記載しておく。
〔態様１〕
エンコードされた入力信号をデコードしてオーディオ出力信号を生成する方法であって：
エンコードされたオーディオ情報および関連するメタデータを含むエンコードされた入力信号を受領する段階であって、前記メタデータは、一つまたは複数のデコード制御パラメータおよび第一のダイナミックレンジ圧縮プロファイルに従ってダイナミックレンジ圧縮を指定する一つまたは複数の第一のパラメータを含み、任意的に第二のダイナミックレンジ圧縮プロファイルに従ってダイナミックレンジ圧縮を指定する一つまたは複数の第二のパラメータを含み、前記一つまたは複数の第一のパラメータは、第一の基準再生レベルでの再生についてクリッピング・レベルを超えない振幅をもつ聴覚的刺激を表すよう前記エンコードされたオーディオ情報を生成したエンコード・プロセスに従って設定された値をもち、前記一つまたは複数の第二のパラメータは、前記第一の基準再生レベルより高い第二の基準再生レベルでの再生について前記クリッピング・レベルを超えない振幅をもつ前記聴覚的刺激を表すよう前記エンコードされたオーディオ情報を生成した前記エンコード・プロセスに従って設定された値をもつ、段階と；
前記エンコードされたオーディオ情報にデコード・プロセスを適用して、前記聴覚的刺激のスペクトル内容を表すサブバンド信号を得る段階であって、前記デコード・プロセスは、前記一つまたは複数のデコード制御パラメータに応答して適応される、段階と；
前記サブバンド信号を修正して、変化したダイナミックレンジ特性をもつ修正されたサブバンド信号を得る段階であって、前記修正は、前記メタデータが前記一つまたは複数の第二のパラメータを含む場合には前記一つまたは複数の第二のパラメータに応答して適応され、前記メタデータが前記一つまたは複数の第二のパラメータを含まない場合には前記一つまたは複数の第一のパラメータに応答して適応される、段階と；
前記修正されたサブバンド信号に合成フィルタバンクを適用して時間領域オーディオ信号を得る段階と；
前記メタデータが前記一つまたは複数の第二のパラメータを含まない場合、前記メタデータに応答して前記時間領域オーディオ信号に利得および制限器を適用し、前記利得の適用は前記時間領域オーディオ信号を、前記第二の基準再生レベルでの再生のための振幅をもつ前記オーディオ出力信号を得るよう修正し、前記制限器の適用は前記オーディオ出力信号の前記振幅が前記クリッピング・レベルを超えることを防止する、段階とを含む、
方法。
〔態様２〕
前記一つまたは複数の第二のパラメータが、前記第一のダイナミックレンジ圧縮プロファイルと前記第二のダイナミックレンジ圧縮プロファイルについての対応するパラメータ間の差分を表す、態様１記載の方法。
〔態様３〕
前記エンコードされた入力信号がATSC規格、MPEG-2  AAC規格またはMPEG-4オーディオ規格に準拠し、前記第一の基準再生レベルは前記クリッピング・レベルより20dB低い振幅に対応し、前記第二の基準再生レベルは前記クリッピング・レベルより11dB低い振幅に対応する、態様１または２記載の方法。
〔態様４〕
聴覚的刺激を表すオーディオ入力信号をエンコードする方法であって：
前記オーディオ入力信号を受領する段階と；
前記オーディオ入力信号に分解フィルタバンクを適用して前記オーディオ入力信号のスペクトル内容を表すサブバンド信号を生成する段階と；
前記オーディオ入力信号から導出された一つまたは複数の信号を解析してメタデータを計算する段階であって、前記メタデータは、第一のダイナミックレンジ圧縮プロファイルに従ってダイナミックレンジ圧縮を指定する一つまたは複数の第一のパラメータおよび第二のダイナミックレンジ圧縮プロファイルに従ってダイナミックレンジ圧縮を指定する一つまたは複数の第二のパラメータを含み、前記一つまたは複数の第一のパラメータは、第一の基準再生レベルでの再生についてクリッピング・レベルを超えない振幅をもつ前記聴覚的刺激を表すよう設定された値をもち、前記一つまたは複数の第二のパラメータは、第二の基準再生レベルでの再生について前記クリッピング・レベルを超えない振幅をもつ前記聴覚的刺激を表すよう設定された値をもつ、段階と；
前記サブバンド信号にエンコード・プロセスを適用して、エンコードされたオーディオ情報を得る段階と；
前記エンコードされたオーディオ情報および前記メタデータを集めて、伝送または記憶に好適なフォーマットを有するエンコードされた出力信号にする段階とを含み、
前記一つまたは複数の第二のパラメータが、前記第一のダイナミックレンジ圧縮プロファイルと前記第二のダイナミックレンジ圧縮プロファイルについての対応するパラメータ間の差分を表す、
方法。
〔態様５〕
前記エンコードされた出力信号がATSC規格、MPEG-2  AAC規格またはMPEG-4オーディオ規格に準拠し、前記第一の基準再生レベルは前記クリッピング・レベルより20dB低い振幅に対応し、前記第二の基準再生レベルは前記クリッピング・レベルより11dB低い振幅に対応する、態様４記載の方法。
〔態様６〕
エンコードされた入力信号をトランスコードしてエンコードされた出力信号を生成する方法であって：
第一のエンコードされたオーディオ情報および関連するメタデータを含むエンコードされた入力信号を受領する段階であって、前記メタデータは、一つまたは複数のデコード制御パラメータおよび第一のダイナミックレンジ圧縮プロファイルに従ってダイナミックレンジ圧縮を指定する一つまたは複数の第一のパラメータを含み、前記一つまたは複数の第一のパラメータは、第一の基準再生レベルでの再生についてクリッピング・レベルを超えない振幅をもつ聴覚的刺激を表すよう前記第一のエンコードされたオーディオ情報を生成した第一のエンコード・プロセスに従って設定された値をもつ、段階と；
前記第一のエンコードされたオーディオ情報にデコード・プロセスを適用して、前記聴覚的刺激のスペクトル内容を表すサブバンド信号を得る段階であって、前記デコード・プロセスは、前記一つまたは複数のデコード制御パラメータに応答して適応される、段階と；
前記サブバンド信号から得られる一つまたは複数の信号を解析して、第二のダイナミックレンジ圧縮プロファイルに従ってダイナミックレンジ圧縮を指定する一つまたは複数の第二のパラメータを計算する段階であって、前記一つまたは複数の第二のパラメータは、第二の基準再生レベルでの再生について前記クリッピング・レベルを超えない振幅をもつ前記聴覚的刺激を表すよう設定された値をもつ、段階と；
第二のエンコードされたオーディオ情報、前記一つまたは複数の第一のパラメータおよび前記一つまたは複数の第二のパラメータを集めて、伝送または記憶に好適なフォーマットを有するエンコードされた出力信号にする段階とを含み、
前記第二のエンコードされたオーディオ情報は前記サブバンド信号のエンコードされた表現である、
方法。
〔態様７〕
前記一つまたは複数の第二のパラメータが、前記第一のダイナミックレンジ圧縮プロファイルと前記第二のダイナミックレンジ圧縮プロファイルについての対応するパラメータ間の差分を表す、態様６記載の方法。
〔態様８〕
前記サブバンド信号に合成フィルタバンクを適用して、ダイナミックレンジ圧縮を指定する前記一つまたは複数の第二のパラメータを計算するために解析される前記一つまたは複数の信号を得る段階を含む、態様６または７記載の方法。
〔態様９〕
前記サブバンド信号に第二のエンコード・プロセスを適用して前記第二のエンコードされたオーディオ情報を生成する段階を含む、態様６ないし８のうちいずれか一項記載の方法。
〔態様１０〕
前記第二のエンコードされたオーディオ情報が前記第一のエンコードされたオーディオ情報である、態様６ないし８のうちいずれか一項記載の方法。
〔態様１１〕
前記エンコードされた入力信号がATSC規格、MPEG-2  AAC規格またはMPEG-4オーディオ規格に準拠し、前記第一の基準再生レベルは前記クリッピング・レベルより20dB低い振幅に対応する、態様６ないし１０のうちいずれか一項記載の方法。
〔態様１２〕
前記エンコードされた出力信号がATSC規格、MPEG-2  AAC規格またはMPEG-4オーディオ規格に準拠し、前記第二の基準再生レベルは前記クリッピング・レベルより11dB低い振幅に対応する、態様６ないし１０のうちいずれか一項記載の方法。
〔態様１３〕
エンコードされた入力信号をデコードしてオーディオ出力信号を生成する装置であって：
エンコードされたオーディオ情報および関連するメタデータを含むエンコードされた入力信号を受領する手段であって、前記メタデータは、一つまたは複数のデコード制御パラメータおよび第一のダイナミックレンジ圧縮プロファイルに従ってダイナミックレンジ圧縮を指定する一つまたは複数の第一のパラメータを含み、任意的に第二のダイナミックレンジ圧縮プロファイルに従ってダイナミックレンジ圧縮を指定する一つまたは複数の第二のパラメータを含み、前記一つまたは複数の第一のパラメータは、第一の基準再生レベルでの再生についてクリッピング・レベルを超えない振幅をもつ聴覚的刺激を表すよう前記エンコードされたオーディオ情報を生成したエンコード・プロセスに従って設定された値をもち、前記一つまたは複数の第二のパラメータは、前記第一の基準再生レベルより高い第二の基準再生レベルでの再生について前記クリッピング・レベルを超えない振幅をもつ前記聴覚的刺激を表すよう前記エンコードされたオーディオ情報を生成した前記エンコード・プロセスに従って設定された値をもつ、手段と；
前記エンコードされたオーディオ情報にデコード・プロセスを適用して、前記聴覚的刺激のスペクトル内容を表すサブバンド信号を得る手段であって、前記デコード・プロセスは、前記一つまたは複数のデコード制御パラメータに応答して適応される、手段と；
前記サブバンド信号を修正して、変化したダイナミックレンジ特性をもつ修正されたサブバンド信号を得る手段であって、前記修正は、前記メタデータが前記一つまたは複数の第二のパラメータを含む場合には前記一つまたは複数の第二のパラメータに応答して適応され、前記メタデータが前記一つまたは複数の第二のパラメータを含まない場合には前記一つまたは複数の第一のパラメータに応答して適応される、手段と；
前記修正されたサブバンド信号に合成フィルタバンクを適用して時間領域オーディオ信号を得る手段と；
前記メタデータが前記一つまたは複数の第二のパラメータを含まない場合、前記メタデータに応答して前記時間領域オーディオ信号に利得および制限器を適用し、前記利得の適用は前記時間領域オーディオ信号を、前記第二の基準再生レベルでの再生のための振幅をもつ前記オーディオ出力信号を得るよう修正し、前記制限器の適用は前記オーディオ出力信号の前記振幅が前記クリッピング・レベルを超えることを防止する、手段とを含む、
装置。
〔態様１４〕
聴覚的刺激を表すオーディオ入力信号をエンコードする装置であって：
前記オーディオ入力信号を受領する手段と；
前記オーディオ入力信号に分解フィルタバンクを適用して前記オーディオ入力信号のスペクトル内容を表すサブバンド信号を生成する手段と；
前記オーディオ入力信号から導出された一つまたは複数の信号を解析してメタデータを計算する手段であって、前記メタデータは、第一のダイナミックレンジ圧縮プロファイルに従ってダイナミックレンジ圧縮を指定する一つまたは複数の第一のパラメータおよび第二のダイナミックレンジ圧縮プロファイルに従ってダイナミックレンジ圧縮を指定する一つまたは複数の第二のパラメータを含み、前記一つまたは複数の第一のパラメータは、第一の基準再生レベルでの再生についてクリッピング・レベルを超えない振幅をもつ前記聴覚的刺激を表すよう設定された値をもち、前記一つまたは複数の第二のパラメータは、第二の基準再生レベルでの再生について前記クリッピング・レベルを超えない振幅をもつ前記聴覚的刺激を表すよう設定された値をもつ、手段と；
前記サブバンド信号にエンコード・プロセスを適用して、エンコードされたオーディオ情報を得る手段と；
前記エンコードされたオーディオ情報および前記メタデータを集めて、伝送または記憶に好適なフォーマットを有するエンコードされた出力信号にする手段とを含み、
前記一つまたは複数の第二のパラメータが、前記第一のダイナミックレンジ圧縮プロファイルと前記第二のダイナミックレンジ圧縮プロファイルについての対応するパラメータ間の差分を表す、
装置。
〔態様１５〕
エンコードされた入力信号をトランスコードしてエンコードされた出力信号を生成する装置であって：
第一のエンコードされたオーディオ情報および関連するメタデータを含むエンコードされた入力信号を受領する手段であって、前記メタデータは、一つまたは複数のデコード制御パラメータおよび第一のダイナミックレンジ圧縮プロファイルに従ってダイナミックレンジ圧縮を指定する一つまたは複数の第一のパラメータを含み、前記一つまたは複数の第一のパラメータは、第一の基準再生レベルでの再生についてクリッピング・レベルを超えない振幅をもつ聴覚的刺激を表すよう前記第一のエンコードされたオーディオ情報を生成した第一のエンコード・プロセスに従って設定された値をもつ、手段と；
前記第一のエンコードされたオーディオ情報にデコード・プロセスを適用して、前記聴覚的刺激のスペクトル内容を表すサブバンド信号を得る手段であって、前記デコード・プロセスは、前記一つまたは複数のデコード制御パラメータに応答して適応される、手段と；
前記サブバンド信号から得られる一つまたは複数の信号を解析して、第二のダイナミックレンジ圧縮プロファイルに従ってダイナミックレンジ圧縮を指定する一つまたは複数の第二のパラメータを計算する手段であって、前記一つまたは複数の第二のパラメータは、第二の基準再生レベルでの再生について前記クリッピング・レベルを超えない振幅をもつ前記聴覚的刺激を表すよう設定された値をもつ、手段と；
第二のエンコードされたオーディオ情報、前記一つまたは複数の第一のパラメータおよび前記一つまたは複数の第二のパラメータを集めて、伝送または記憶に好適なフォーマットを有するエンコードされた出力信号にする手段とを含み、
前記第二のエンコードされたオーディオ情報は前記サブバンド信号のエンコードされた表現である、
装置。
〔態様１６〕
エンコードされた入力信号をデコードしてオーディオ出力信号を生成する方法の下記の段階、すなわち：
エンコードされたオーディオ情報および関連するメタデータを含むエンコードされた入力信号を受領する段階であって、前記メタデータは、一つまたは複数のデコード制御パラメータおよび第一のダイナミックレンジ圧縮プロファイルに従ってダイナミックレンジ圧縮を指定する一つまたは複数の第一のパラメータを含み、任意的に第二のダイナミックレンジ圧縮プロファイルに従ってダイナミックレンジ圧縮を指定する一つまたは複数の第二のパラメータを含み、前記一つまたは複数の第一のパラメータは、第一の基準再生レベルでの再生についてクリッピング・レベルを超えない振幅をもつ聴覚的刺激を表すよう前記エンコードされたオーディオ情報を生成したエンコード・プロセスに従って設定された値をもち、前記一つまたは複数の第二のパラメータは、前記第一の基準再生レベルより高い第二の基準再生レベルでの再生について前記クリッピング・レベルを超えない振幅をもつ前記聴覚的刺激を表すよう前記エンコードされたオーディオ情報を生成した前記エンコード・プロセスに従って設定された値をもつ、段階と；
前記エンコードされたオーディオ情報にデコード・プロセスを適用して、前記聴覚的刺激のスペクトル内容を表すサブバンド信号を得る段階であって、前記デコード・プロセスは、前記一つまたは複数のデコード制御パラメータに応答して適応される、段階と；
前記サブバンド信号を修正して、変化したダイナミックレンジ特性をもつ修正されたサブバンド信号を得る段階であって、前記修正は、前記メタデータが前記一つまたは複数の第二のパラメータを含む場合には前記一つまたは複数の第二のパラメータに応答して適応され、前記メタデータが前記一つまたは複数の第二のパラメータを含まない場合には前記一つまたは複数の第一のパラメータに応答して適応される、段階と；
前記修正されたサブバンド信号に合成フィルタバンクを適用して時間領域オーディオ信号を得る段階と；
前記メタデータが前記一つまたは複数の第二のパラメータを含まない場合、前記メタデータに応答して前記時間領域オーディオ信号に利得および制限器を適用し、前記利得の適用は前記時間領域オーディオ信号を、前記第二の基準再生レベルでの再生のための振幅をもつ前記オーディオ出力信号を得るよう修正し、前記制限器の適用は前記オーディオ出力信号の前記振幅が前記クリッピング・レベルを超えることを防止する、段階とを実行するよう、装置によって実行されることのできる命令のプログラムを記録した記憶媒体。
〔態様１７〕
聴覚的刺激を表すオーディオ入力信号をエンコードする方法の下記の段階、すなわち：
前記オーディオ入力信号を受領する段階と；
前記オーディオ入力信号に分解フィルタバンクを適用して前記オーディオ入力信号のスペクトル内容を表すサブバンド信号を生成する段階と；
前記オーディオ入力信号から導出された一つまたは複数の信号を解析してメタデータを計算する段階であって、前記メタデータは、第一のダイナミックレンジ圧縮プロファイルに従ってダイナミックレンジ圧縮を指定する一つまたは複数の第一のパラメータおよび第二のダイナミックレンジ圧縮プロファイルに従ってダイナミックレンジ圧縮を指定する一つまたは複数の第二のパラメータを含み、前記一つまたは複数の第一のパラメータは、第一の基準再生レベルでの再生についてクリッピング・レベルを超えない振幅をもつ前記聴覚的刺激を表すよう設定された値をもち、前記一つまたは複数の第二のパラメータは、第二の基準再生レベルでの再生について前記クリッピング・レベルを超えない振幅をもつ前記聴覚的刺激を表すよう設定された値をもつ、段階と；
前記サブバンド信号にエンコード・プロセスを適用して、エンコードされたオーディオ情報を得る段階と；
前記エンコードされたオーディオ情報および前記メタデータを集めて、伝送または記憶に好適なフォーマットを有するエンコードされた出力信号にする段階とを実行するよう、装置によって実行されることのできる命令のプログラムを記録した記憶媒体であって、
前記一つまたは複数の第二のパラメータが、前記第一のダイナミックレンジ圧縮プロファイルと前記第二のダイナミックレンジ圧縮プロファイルについての対応するパラメータ間の差分を表す、
記憶媒体。
〔態様１８〕
エンコードされた入力信号をトランスコードしてエンコードされた出力信号を生成する方法の下記の段階、すなわち：
第一のエンコードされたオーディオ情報および関連するメタデータを含むエンコードされた入力信号を受領する段階であって、前記メタデータは、一つまたは複数のデコード制御パラメータおよび第一のダイナミックレンジ圧縮プロファイルに従ってダイナミックレンジ圧縮を指定する一つまたは複数の第一のパラメータを含み、前記一つまたは複数の第一のパラメータは、第一の基準再生レベルでの再生についてクリッピング・レベルを超えない振幅をもつ聴覚的刺激を表すよう前記第一のエンコードされたオーディオ情報を生成した第一のエンコード・プロセスに従って設定された値をもつ、段階と；
前記第一のエンコードされたオーディオ情報にデコード・プロセスを適用して、前記聴覚的刺激のスペクトル内容を表すサブバンド信号を得る段階であって、前記デコード・プロセスは、前記一つまたは複数のデコード制御パラメータに応答して適応される、段階と；
前記サブバンド信号から得られる一つまたは複数の信号を解析して、第二のダイナミックレンジ圧縮プロファイルに従ってダイナミックレンジ圧縮を指定する一つまたは複数の第二のパラメータを計算する段階であって、前記一つまたは複数の第二のパラメータは、第二の基準再生レベルでの再生について前記クリッピング・レベルを超えない振幅をもつ前記聴覚的刺激を表すよう設定された値をもつ、段階と；
第二のエンコードされたオーディオ情報、前記一つまたは複数の第一のパラメータおよび前記一つまたは複数の第二のパラメータを集めて、伝送または記憶に好適なフォーマットを有するエンコードされた出力信号にする段階とを実行するよう、装置によって実行されることのできる命令のプログラムを記録した記憶媒体であって、
前記第二のエンコードされたオーディオ情報は前記サブバンド信号のエンコードされた表現である、
記憶媒体。
【図１】
2015045886.tif 000003
【図２】
2015045886.tif 000004
【図３】
2015045886.tif 000005
【図４】
2015045886.tif 000006
【図５】
2015045886.tif 000007
【図６】
2015045886.tif 000008